(57)【要約】【課題】座標入力装置と表示装置を有する情報携帯端末において、座標入力装置の領域に機能領域を登録し、表示装置に機能の目印となる画像や文字を表示すると、情報携帯端末に表示できる情報量が少なくなってしまう。【解決手段】機能が登録されている機能記憶手段と機能を割り当てる機能登録手段と機能を読み出す機能読み出し手段と座標入力装置と表示装置と動作を制御する制御手段とを有し、機能登録手段は、表示装置の全ての表示領域に対応する座標入力装置の全ての座標入力領域に任意の機能呼び出し領域を設定し、座標入力装置は、機能呼び出し領域が選択されると選択信号を送信し、制御手段は、選択信号により機能記憶手段から機能を読み出して実行する。表示装置には機能呼び出し領域の目印となる画像や文字などを表示しない。【選択図】図１
2005258601.tif 000002
【特許請求の範囲】
【請求項１】
機能が登録されている機能記憶手段と、機能を割り当てる機能登録手段と、機能を読み出す機能読み出し手段と、動作を制御する制御手段と、座標入力装置と、表示装置と、を有する情報携帯端末において、
前記機能登録手段は、前記表示装置の全ての表示領域に対応する前記座標入力装置の全ての座標入力領域に任意の機能呼び出し領域を設定し、
前記座標入力装置は、前記機能呼び出し領域が選択されると前記機能呼び出し手段に信号を送信し、前記制御手段は、前記信号により前記機能記憶手段から機能を読み出して実行すること特徴とする情報携帯端末。
【請求項２】
前記制御手段は、前記機能呼び出し領域に対応する前記表示装置の表示領域に、機能の目印となるような画像や文字を表示させないことを特徴とする請求項１に記載の情報携帯端末。
【請求項３】
前記座標入力装置は、透明基板を有するタッチパネルであり、前記表示装置上に載置することを特徴とする請求項１から２のいずれか１つに記載の情報端末。
【発明の詳細な説明】
【技術分野】
【０００１】
本発明は、情報携帯端末に関することであって、特に機能を割り当てる機能登録手段を有する情報携帯端末に関する。
【背景技術】
【０００２】
情報携帯端末は、透過型の座標入力装置（例えば、タッチパネル）と表示装置とを載置している場合がある。これは、座標入力装置と表示装置とを別々の場所に設けるより、構造上の設置面積が小さく済むことから、小型化や多機能化が進む時計やＰＤＡ（Ｐｅｒｓｏｎａｌ  Ｄｉｇｉｔａｌ  Ａｓｓｉｓｔａｎｔ）などの小型携帯端末では広く用いられている方法である。
また、表示装置の表示領域と座標入力装置の座標入力領域との大きさを一致しておくと、表示装置上に記号やアイコン（絵文字）を表示し、座標入力装置を透過して見えるアイコン等の該当する位置を押圧することにより、操作者はそのアイコンに割り当てられている機能を呼び出し実行することができるなど、いわゆるユーザーインターフェースが向上するなどの利点がある。
【０００３】
実際にアイコン等の機能を呼び出し実行するためには、座標入力装置の座標入力領域の一部を機能呼び出し領域として割り当てる。この機能呼び出し領域と表示装置の同じ領域にアイコンやメニュー等の表示を行っている。
【０００４】
図６に特定の機能として画面をスクロールする機能を割り当てて用いる従来技術を示す。図６において、３は表示装置、１３は座標入力装置、６０は文字表示領域、６１は上スクロール機能領域、６２は閲覧位置情報領域、６３は下スクロール機能領域、６４は文字拡大縮小機能領域である。この図では、座標入力装置１３は透明基板を有するタッチパネルを想定しており、座標入力装置１３は、表示装置３の上に載置してあるものとする。また、表示装置３と座標入力装置１３とのサイズはほぼ同一であるものとする。
【０００５】
文字表示領域６０には、「あいうえお〜やゆよわん」のひらがなと「ＡＢＣ〜ＸＹＺ」のアルファベットとが表示されており、文字表示領域６０の右端で折り返しが行われている。ひらがなの終端と、アルファベットとの終端には図示されていない改行文字が存在している。
【０００６】
上スクロール機能領域６１と閲覧位置情報領域６２と下スクロール機能領域６３とは機能呼び出し領域である。予め、所望の機能を登録してある。
上スクロール機能領域６１は、文字表示領域６０に表示さている文字を上方向へスクロールさせるための機能領域である。
下スクロール機能領域６３は、文字表示領域６０に表示さている文字を下方向へスクロールさせるための機能領域である。
閲覧位置情報領域６２は、閲覧中の文字が全文字列のどの辺りを閲覧しているかを示すものであって、図６に図示されている閲覧位置情報領域６２は、全文字列の先頭を閲覧していることになる。
文字拡大縮小機能領域６４は、文字表示領域６０に表示させている文字の大きさを切り替えるための機能領域である。
【０００７】
図６からわかるように、文字などを表示する領域である文字表示領域６０とは異なる領域に機能領域である上スクロール機能領域６１や下スクロール機能領域６３などを配置している。
【０００８】
図６に示した従来技術のように、複数の機能を利用するために、座標入力装置に複数の機能呼び出し領域を登録することがある。この場合、機能呼び出し領域を大きくすると、文字などの情報を表示する領域が小さくなってしまい、操作者にとって文字が見づらいなどの不具合があった。従って、限られた座標入力装置の領域内で不具合なく各々の領域を確保することは難しかった。
【０００９】
この問題を解決するために、多くの提案がなされている（例えば、特許文献１参照）。特許文献１に示した従来技術は、座標入力領域の一部に上スクロール領域と下スクロール領域とを固定して設けている。このような構成とすることによって、表示装置に表示されている情報をスクロールさせて順次閲覧することで、座標入力装置の操作回数を減らし、操作性を向上させるものである。また、上下に表示をスクロールさせることに特化したスクロール領域を設けることによって操作者が混乱することなく操作を実行できるものである。
【００１０】
図７は、特許文献１に示した従来技術を示す図である。７００は座標入力装置、７０１は座標特定領域、７０２は第１のスクロール領域、７０３は第２のスクロール領域である。
座標入力装置７００上に、例えば、文字を手書き入力する領域などの座標を特定する座標特定領域７０１を設けており、これとは別に、特定の機能を有する領域、この場合はスクロールのみを行うスクロール領域を設けている。スクロール領域はスクロールの方向も定義されている。例えば、第１のスクロール領域７０２には上スクロール機能が、第２のスクロール領域７０３には下スクロール機能が、それぞれ割り当てられている。
第１のスクロール領域７０２または第２のスクロール領域７０３を選択した状態で、これら以外の領域である座標特定領域７０１が選択されている場合には、上または下方向のスクロール操作が行われる。座標特定領域１０１のみが選択されている場合には、通常の座標入力を行うことができる。
【００１１】
【特許文献１】特開２０００−１８１６１７号公報（第５−７頁、第１図）
【発明の開示】
【発明が解決しようとする課題】
【００１２】
特許文献１に示した従来の技術は、スクロール操作を行う際の操作回数を減らすことが可能となっている。また、特定の機能を有する領域を設けているために、操作者がその機能を理解しすばやく使うことができるという利点があるものの、第１のスクロール領域７０２と第２のスクロール領域７０３とを設け、これらの領域を選択した状態で、座標入力装置７００を操作しなければならず、連続して文字などの情報を入力する際には、逆にわずらわしくなってしまうという不具合があった。
また、一般的な小型携帯端末のように、透過型の座標入力装置と表示装置とが積層されている場合においては、座標入力装置に第１のスクロール領域７０２と第２のスクロール領域７０３とが固定されているため、表示装置ではこれらの領域を避けるように文字などの情報を表示するなどの工夫が必要となってしまっていた。
さらに、いろいろな情報携帯端末に、特許文献１に示した従来の技術を採用した場合、第１のスクロール領域７０２と第２のスクロール領域７０３とが固定されているため、情報携帯端末のユーザーインターフェースに特徴を持たせることがしにくいといった問題があった。
【課題を解決するための手段】
【００１３】
以上のような問題を解決するために、本発明では以下のような技術を採用する。
【００１４】
機能が登録されている機能記憶手段と、機能を割り当てる機能登録手段と、機能を読み出す機能読み出し手段と、動作を制御する制御手段と、座標入力装置と、表示装置と、を有する情報携帯端末において、
機能登録手段は、表示装置の全ての表示領域に対応する座標入力装置の全ての座標入力領域に任意の機能呼び出し領域を設定し、
座標入力装置は、機能呼び出し領域が選択されると機能呼び出し手段に信号を送信し、制御手段は、信号により機能記憶手段から機能を読み出して実行すること特徴とする。
【００１５】
制御手段は、機能呼び出し領域に対応する表示装置の表示領域に、機能の目印となるような画像や文字を表示させないことを特徴とする。
【００１６】
座標入力装置は、透明基板を有するタッチパネルであり、表示装置上に載置することを特徴とする。
【発明の効果】
【００１７】
本発明の情報携帯端末は、機能が登録されている機能記憶手段と機能を割り当てる機能登録手段と機能を読み出す機能読み出し手段と動作を制御する制御手段と座標入力装置と表示装置とを有しており、透過型の座標入力装置を表示装置に載置しており、かつ座標入力装置の座標入力領域と表示装置の表示領域との大きさがほぼ一致している構造を有する。
機能記憶手段と機能登録手段と機能読み出し手段とは制御手段によって制御が行われており、機能登録手段は、座標入力装置の座標入力領域の全ての領域に機能を呼び出すための機能呼び出し領域を任意に設定することが可能である。
選択された座標入力装置上の領域が機能呼び出し領域であった場合、座標入力装置は選択信号を送信し、制御手段は、この選択信号を受けて機能読み出し手段に対して制御信号を発し、記憶手段に記憶している機能の情報を読み出す。そして読み出された機能の情報を元にして、処理が行われる。
さらに、制御手段は、機能登録手段にて登録した機能呼び出し領域と重なっている表示装置の表示領域には、機能の目印となる画像や文字などを表示させない。
このような構成とすることによって、表示する情報が少ない小さな表示装置においても、たくさんの文字などの情報を表示することが可能となる。
【００１８】
本発明の最大の特徴はまさにこの部分であって、機能登録手段は、表示装置の全ての表示領域に対応する座標入力装置の全ての座標入力領域の任意の領域に機能呼び出し領域の設定を行う。
座標入力装置を透過して見える表示装置における機能呼び出し領域と一致する表示領域には、呼び出す機能の目印となる画像や文字などを表示させない。すなわち、機能呼び出し領域に対応する表示装置の表示領域にアイコンなどの絵文字などを表示しないのである。
これによって、表示装置の全画面に文字情報などの表示を行うことが可能となり、特に表示装置の表示エリアが小さい表示装置において、表示領域を有効に使うことができる。
また、座標入力装置を有する機能読み出し手段を有することによって、情報携帯端末の本体にキーやスイッチなどの部材を別途に設けることが不要であるから、操作者にとってキーやスイッチなどが増えることによる操作の混乱を防止することに加え、情報携帯端末の製造コストを下げることもできる。
【発明を実施するための最良の形態】
【００１９】
以下図面を用いて本発明を実施する最良の形態における情報携帯端末についての構成を説明する。
図１は、本発明の情報携帯端末を示す図である。図２は、本発明の情報携帯端末を構成
する回路ブロック図である。図３は、本発明の情報携帯端末の機能登録手段と機能記憶手段との様子を示したフロー図である。図４は、本発明の情報携帯端末の機能読み出し手段の流れを示したフロー図である。図５は、本発明の情報携帯端末の表示装置に機能が表示される様子を示した図である。
【００２０】
［全体システムの説明：図１］
まず、図１を用いて本発明の情報携帯端末の構成を説明する。図１は本発明の情報携帯端末を示す図である。
図１において、１は本発明の情報携帯端末、３は表示装置、１３は座標入力装置、５０は制御手段、５１は機能登録手段、５２は機能記憶手段、５３は機能読み出し手段、１３０は機能呼び出し領域である。Ｓ１〜Ｓ８は信号である。
表示装置３と座標入力装置１３と機能登録手段５１と機能記憶手段５２と機能読み出し手段５３とは、制御手段５０によって制御が行われている。
【００２１】
機能登録手段５１は、制御手段５０から信号Ｓ１を受信することによって、座標入力装置１３の座標入力領域の一部領域を、機能呼び出し領域１３０として登録を行う。
座標入力装置１３に割り当てられた機能呼び出し領域１３０の情報と、割り当てられた領域が選択された場合に実行される機能情報（例えば、画面をスクロールする、文字のサイズを変更する等の機能の情報）とは、信号Ｓ２によって機能記憶手段５２に記憶される。
【００２２】
座標入力装置１３の機能呼び出し領域１３０が選択された場合、信号Ｓ３が制御手段５０に送信される。制御手段５０は、機能読み出し手段５３が解釈できるように情報を変換し信号Ｓ４として送信する。
信号Ｓ４を受け取った機能読み出し手段５３は、機能記憶手段５２に対して、座標入力装置１３で選択された機能呼び出し領域１３０の機能情報を取得するために信号Ｓ５を送信し、座標入力装置１３が選択された機能呼び出し領域１３０が含まれる機能情報を信号Ｓ６として取得する。
【００２３】
機能情報を取得した機能読み出し手段５３は、制御手段５０が利用できるようなデータ形式に機能情報を変換し、信号Ｓ７として制御手段５０に送信を行う。信号Ｓ７を受け取った制御手段５０は、その情報に基づき機能の処理を行うように各手段を制御するか信号を送信する。
制御手段５０で処理される機能のうち、表示装置３に表示を行う情報は信号Ｓ８として表示装置３に送信される。
例えば、画面をスクロールするという機能が機能情報に登録されているとすれば、この時点で画面がスクロールされる。
【００２４】
本発明の情報携帯端末においては、機能登録手段５１が座標入力装置１３の機能呼び出し領域１３０に対して任意の機能を割り当てた場合、機能呼び出し領域１３０に該当する表示装置３の表示領域に、機能を割り当てた目印となる画像や文字、例えば、アイコンなどを表示しない。
このため、表示装置３には、それらの配置を気にすることなく、表示装置３の全ての表示領域に文字などの情報を表示することが可能となり、情報携帯端末１の表示装置３の表示領域を有効に利用することが可能である。
【００２５】
本発明の情報携帯端末を、座標入力装置を透明基板を有するタッチパネル、表示装置を液晶パネルなどの一般的な表示装置を用い、タッチパネルを表示装置に載置した場合を例にして説明する。
操作者は、タッチパネルを透過して表示装置上の文字や記号、アイコンなどの絵文字を
見ることができる。例えば、表示領域にスケジュール表を表示していたとすると、操作者は、表示領域の文字や記号を見ながら所望の作業を行う。
タッチパネルに機能呼び出し領域が登録されており、その機能情報が画面をスクロールさせる機能であったとすると、操作者は、登録されている機能呼び出し領域を押圧し機能を実行することで画面をスクロールさせることができる。タッチパネル上に設定された機能呼び出し領域に対応する表示装置上の表示領域には、アイコンなどは表示していないから、機能呼び出し領域がたとえスケジュール表の真上であったとしても、その下に表示されている文字を読むなどの作業の妨げにはならないのである。
【００２６】
もちろん、この例は、表示装置上の文字や記号を閲覧する場合であって、文字や記号を入力する場合は、カーソルの移動や入力動作などで機能呼び出し領域を押圧してしまい、不測の動作をすることがないように、制御手段が閲覧状態か入力状態かを監視し機能をコントロールする。この閲覧状態か入力状態かを監視する方法の例としては、情報携帯端末に搭載されているアプリケーションからの情報を得る方法や、閲覧モードや入力モードなどの専用のキーを設け、ユーザーが切り換える方法など、ざまざまな方法がある。いずれの方法も、本発明の特徴的な部分ではないので、説明は省略する。
【００２７】
［回路ブロックの説明：図２］
図２は、本発明の情報携帯端末１を構成する回路ブロック図である。図１と図２とを用いて説明する。
図２において、２は入力手段、３は表示装置、４は中央演算処理装置、５は水晶発振回路、６は水晶振動子、７は表示装置駆動回路、８は格納装置、９はランダムアクセスメモリ、１０はリードオンリーメモリ、１３は座標入力装置、１４は座標入力装置駆動回路である。
【００２８】
本発明の実施形態においては、機能登録手段５１と機能記憶手段５２と機能読み出し手段５３と制御手段５０とは、図２に示す格納装置８に格納し、中央演算処理装置４がそれらを制御する場合を説明する。図２に示す構成では、中央演算処理装置４と格納装置８に格納されている情報（データ）や動作プログラムとの組み合わせにより、ソフトウェア的に動作を制御できる例を示している。
【００２９】
中央演算処理装置４には、水晶振動子６と水晶発振回路５とによって発生したクロック信号が入力され、入力されたクロック信号を基準として中央演算処理装置４が動作する。
【００３０】
入力手段２は、中央演算処理装置４と接続されており、入力手段２が操作されると、中央演算処理装置４では割込み処理が行われ、入力手段２が操作されたことを直ちに関知することが可能である。入力手段２を用いて、情報携帯端末１の電源のオン、オフを行う。
【００３１】
表示装置３は、中央演算処理装置４に接続されている表示装置駆動回路７によって駆動され、表示装置３に文字の表示や、画像データの表示を行う。
【００３２】
格納装置８は、文字列や行表示位置情報などのデータを一時的に格納するランダムアクセスメモリ９と、情報携帯端末１で実行される機能や動作プログラムなどが記録されているリードオンリーメモリ１０とから構成されており、中央演算処理装置４と接続されている。
【００３３】
格納装置８にあるランダムアクセスメモリ９は、情報携帯端末１の機能を実行するために必要なデータと、文字情報を管理するための情報とが格納されている。図１に示す機能記憶手段５２の内容も、ランダムアクセスメモリ９に格納されている。リードオンリーメモリ１０には、図１に示す制御手段５０と機能登録手段５１と機能呼び出し手段５３とし
ての動作プログラムが格納されている。
【００３４】
リードオンリーメモリ１０に格納されているデータは、中央演算処理装置４に読み込まれ、読み込まれたデータは中央演算処理装置４の内部で処理が行われ、中央演算処理装置４は読み込まれたデータに応じた信号を外部に出力する。
【００３５】
［機能登録手段と機能記憶手段と説明：図３］
次に、図１に示す機能登録手段５１と機能記憶手段５２との動作について図３に示すフロー図を用いて説明する。
処理の流れをステップ１からステップ３にて示している。機能登録手段５１と機能記憶手段５２との動作は、制御手段５０によって動作の制御が行われている。
また、本発明の実施の形態にて用いられる機能情報は、座標入力装置１３に機能の登録を行う機能呼び出し領域の座標と、機能が呼び出された場合に情報携帯端末１で処理が行われる機能を示す番号（ＩＤ）が保持されている。
【００３６】
機能登録手段５１にて座標入力装置１３の任意の座標入力領域の機能呼び出し領域に機能を割り当てる。また、制御手段５０は、機能登録手段５１に対して表示装置３には機能の目印となる画像や文字などの情報の描画を行わないように指示を出す。（ステップ１）
【００３７】
機能情報の記憶を行う機能情報記憶領域は、ランダムアクセスメモリ９の領域の一部に割り当てられている。また、機能情報記憶領域は、複数の機能情報の登録が行える様に、配列を成しており機能記憶手段５２によって逐次登録が行われる。（ステップ２）
【００３８】
制御手段５０は、座標入力装置１３の領域に登録する機能が存在するか判断を行う。もし、登録を行う機能が存在する場合には、ステップ１の処理に戻り、座標入力装置１３の領域に機能の割り当てを行う。登録を行う機能がない場合には処理を終了する。（ステップ３）
【００３９】
［機能読み出し手段の説明：図４］
次に、図１に示す機能読み出し段５３の動作について図４に示すフロー図を用いて説明する。処理の流れをステップ１からステップ４にて示している。機能読み出し手段５３の動作は、制御手段５０によって動作の制御が行われている。
【００４０】
制御手段５０は、座標入力装置１３に入力があったかの判断を行う。もし入力がなかった場合には処理を中止する。本発明の実施の形態においては説明を簡素化するために処理を中止しているが、ポーリングにて座標入力装置１３の入力を判断することも可能である。（ステップ１）
【００４１】
座標入力装置１３に入力があったと判断された場合、制御手段５０は、座標入力装置１３に入力された座標の取得を行う。（ステップ２）
【００４２】
機能呼び出し手段５３は、機能情報記憶領域に記憶されている機能情報の領域に、ステップ２で取得した座標が含まれているかの判断を行う。もし、機能情報が存在しない場合には処理を終了する。本発明の実施の形態においては説明を簡素化するために処理を中止しているが、ステップ１に処理を移すことも可能である。（ステップ３）
【００４３】
ステップ２で取得した座標が含まれている機能情報が存在した場合、制御手段５０は機能情報に含まれている機能を示す番号を取得し、機能の番号が示す機能を実行する。
もしくは、制御手段５０は機能情報に含まれている関数のポインタを参照し機能を実行する。（ステップ４）
【００４４】
［従来技術と本発明の表示装置の図示例：図５、図６］
次に、従来技術を用いた表示装置と本発明の技術を用いた表示装置とを図を用いて比較して説明する。図５は本発明の技術を用いた表示装置であり、図６は従来技術を用いた表示装置である。図６についてはすでに説明しているので、その説明を省略する。図５と図６とを参照しながら説明を行う。
【００４５】
図５は、本発明の情報携帯端末の表示装置に機能が表示される様子を示した図である。図５において、３は表示装置、１３は座標入力装置、３００は文字表示領域、５０１は第１の機能呼び出し領域、５０２は第２の機能呼び出し領域、５０３は第３の機能呼び出し領域、５０４は第４の機能呼び出し領域、５０５は第５の機能呼び出し領域、５０６は第６の機能呼び出し領域である。この図では、座標入力装置１３は透明基板を有するタッチパネルを想定しており、座標入力装置１３は、表示装置３の上に載置しているものとする。また、表示装置３と座標入力装置１３とのサイズはほぼ同一であるものとする。
【００４６】
文字表示領域３００には、「あいうえお〜やゆよわん」のひらがなと、「ＡＢＣ〜ＸＹＺ」のアルファベットが表示されており、文字表示領域３００の右端で折り返しが行われている。ひらがなの終端と、アルファベットとの終端には図示されていない改行文字が存在している。
文字表示領域３００は、表示装置３に設けてあるが、座標入力装置１３を透過して表示してある文字が見えている状態を示している。
【００４７】
図５において、第１の機能呼び出し領域５０１と第２の機能呼び出し領域５０２と第３の機能呼び出し領域５０３と第４の機能呼び出し領域５０４と第５の機能呼び出し領域５０５と第６の機能呼び出し領域５０６とは、座標入力装置１３の座標入力領域に隙間なく６つ設定されている例を示している。
【００４８】
第１の機能呼び出し領域５０１には上スクロール機能が登録されており、文字表示領域３００に表示さている文字を上方向へスクロールさせるための機能領域である。
【００４９】
第２の機能呼び出し領域５０２には閲覧位置情報が登録されており、閲覧中の文字が全文字列のどの辺りを閲覧しているかを示す領域である。図６に図示されている閲覧位置情報領域５０２は、全文字列の先頭を閲覧していることになる。
【００５０】
第３の機能呼び出し領域５０３には下スクロール機能が登録されており、文字表示領域３００に表示さている文字を下方向へスクロールさせるための機能領域である。
【００５１】
第４の機能呼び出し領域５０４には文字拡大縮小機能が登録されており、文字表示領域３００に表示さている文字の大きさを切り替えるための機能領域である。
【００５２】
第５の機能呼び出し領域５０５には左矢印機能が登録されており、文字表示領域３００に表示されている文字の入力または削除位置が左側に１文字ずつ移動が行われる機能領域である。
【００５３】
第６の機能呼び出し領域５０６には右矢印機能が登録されており、文字表示領域３００に表示されている文字の入力または削除位置が右側に１文字ずつ移動が行われる機能領域である。
【００５４】
図６に示した従来技術は、機能領域を、その機能領域の目印となる画像や文字を表示装置に表示させているため、文字表示領域６０の領域が、表示装置３と等しくなるように大
きくすることはできない。
しかし、図５に示した本発明の技術を用いた表示装置では、座標入力装置１３の機能呼び出し領域に対応する位置に、その機能の目印となる画像や文字を表示しない。いわば、文字表示領域３００上に機能呼び出し領域が透明な状態であるがごとく設けられている。このため、文字表示領域３００の領域が、表示装置３と等しい大きさにすることが可能となるため、文字表示領域３００に多くの情報を表示することが可能となる。
また、本発明の実施の形態の様に、第１の機能呼び出し領域５０１と第３の機能呼び出し領域５０３とを文字表示領域３００の上部に設けることによって、図６に示した従来技術を用いた表示装置に比べ、第２の機能呼び出し領域５０２を最小限に大きさにすることが可能となり、文字表示領域３００の幅も拡大させることが可能となる。
【００５５】
図５に示した例では、各機能呼び出し領域がある程度の大きさをもって隙間なく並べて配置している例を示している。もちろん、各機能呼び出し領域の大きさや形状は自由に選ぶことが可能であり、この限りではない。
【００５６】
以上の説明で明らかなように、本発明の特徴的な部分は、機能登録手段が座標入力装置の座標入力領域に機能の登録を行う場合に、表示装置には機能の目印となる画像や文字を表示しないという点である。
このような構成とすることによって、表示する情報が少ない小さい表示装置でも、文字などの情報を最大限に表示することが可能となる。また、キーなどのスイッチ部材を設けることに制限のある座標入力装置への機能登録を行う場合、機能呼び出し領域の配置を工夫することによって、画像や文字を有しなくても分かり易いユーザーインターフェースを提供することが可能となり、操作が繁雑になることを防ぐことが可能となる。
【産業上の利用可能性】
【００５７】
本発明の情報携帯端末は、操作が繁雑になることなくわかり易いユーザーインターフェースをもち、さらに文字領域や座標入力領域を大きくすることができる。このため、特に時計型やカード型といった小型情報端末に好適である。
【図面の簡単な説明】
【００５８】
【図１】本発明の情報携帯端末を示す図である。
【図２】本発明の情報携帯端末を構成する回路ブロック図である。
【図３】本発明の情報携帯端末の機能登録手段と機能記憶手段とを示したフロー図である。
【図４】本発明の情報携帯端末の機能読み出し手段の流れを示したフロー図である。
【図５】本発明の情報携帯端末の表示装置に機能が表示される様子を示した図である。
【図６】従来技術の情報携帯端末の表示装置に機能が表示される様子を示した図である。
【図７】従来技術の座標入力装置の概念図である。
【符号の説明】
【００５９】
１  情報携帯端末
２  入力手段
３  表示装置
４  中央演算処理装置
５  水晶発振回路
６  水晶振動子
７  表示装置駆動回路
８  格納装置
９  ランダムアクセスメモリ
１０  リードオンリーメモリ
１３  座標入力装置
１４  座標入力装置駆動回路
５０  制御手段
５１  機能登録手段
５２  機能記憶手段
５３  機能読み出し手段
１３０  機能呼び出し領域
３００  文字表示領域
５０１  第１の機能呼び出し領域
５０２  第２の機能呼び出し領域
５０３  第３の機能呼び出し領域
５０４  第４の機能呼び出し領域
５０５  第５の機能呼び出し領域
５０６  第６の機能呼び出し領域
【図１】
2005258601.tif 000003
【図２】
2005258601.tif 000004
【図３】
2005258601.tif 000005
【図４】
2005258601.tif 000006
【図５】
2005258601.tif 000007
【図６】
2005258601.tif 000008
【図７】
2005258601.tif 000009